【手続補正書】
【提出日】平成17年8月25日(2005.8.25)
【手続補正１】
【補正対象書類名】明細書
【補正対象項目名】発明の名称
【補正方法】変更
【補正の内容】
【発明の名称】画像処理装置、画像処理方法、記憶媒体、及びプログラム
【手続補正２】
【補正対象書類名】明細書
【補正対象項目名】特許請求の範囲
【補正方法】変更
【補正の内容】
【特許請求の範囲】
【請求項１】  第１の所定情報が付加されたオリジナル原稿上の画像を読取手段で読み取ることにより記憶手段内の当該第１の所定情報に対応した画像情報を出力手段により出力する画像処理装置であって、
前記記憶手段に記憶されている画像情報に対する出力制限情報を生成する生成手段と、
前記生成手段で生成された出力制限情報に基づき前記出力手段による画像情報の出力を制限する出力制御手段とを有し、
前記記憶手段は、前記第１の所定情報に対応した画像情報、前記生成手段で生成した出力制限情報、及び前記出力手段による出力結果情報をそれぞれ対応付けて記憶し、
前記出力制御手段は、前記読取手段によって読み取った前記オリジナル原稿から得た前記第１の所定情報に基づき前記記憶手段に記憶されている前記第１の所定情報に対応した画像情報を特定し、当該画像情報に対応する前記出力制限情報に基づき当該画像情報の出力が許可されている場合に前記出力手段による出力を行い、
前記記憶手段は、前記出力手段による前記画像情報の出力に応じて前記記憶手段に記憶されている前記出力結果情報を更新することを特徴とする画像処理装置。
【請求項２】  前記生成手段で生成する出力制限情報は、複写禁止／許可の情報、複写禁止の場合の複写枚数制限情報に加え、複写可能期限情報、複写時にパスワードを要求する場合のセキュリティ情報、及び著作権情報の少なくとも何れかの情報を含むことを特徴とする請求項１に記載の画像処理装置。
【請求項３】  前記出力制御手段は、前記第１の所定情報に含まれるパスワード入力要求によりユーザが入力したパスワードと、前記出力制限情報に含まれるパスワードとの比較結果に基づいて、前記出力手段による出力動作を制御することを特徴とする請求項２に記載の画像処理装置。
【請求項４】  第１の所定情報が付加されたオリジナル原稿上の画像を読取手段で読み取ることにより記憶手段内の当該第１の所定情報に対応した画像情報を出力手段により出力する画像処理装置における画像処理方法であって、
前記記憶手段に記憶されている画像情報に対する出力制限情報を生成する生成ステップと、
前記生成ステップで生成された出力制限情報に基づき前記出力手段による画像情報の出力を制限する出力制御ステップと、
前記第１の所定情報に対応した画像情報、前記生成ステップで生成した出力制限情報、及び前記出力手段による出力結果情報をそれぞれ対応付けて前記記憶手段に記憶する記憶ステップとを有し、
前記出力制御ステップは、前記読取手段によって読み取った前記オリジナル原稿から得た前記第１の所定情報に基づき前記記憶手段に記憶されている前記第１の所定情報に対応した画像情報を特定し、当該画像情報に対応する前記出力制限情報に基づき当該画像情報の出力が許可されている場合に前記出力手段による出力を行い、
前記記憶ステップは、前記出力手段による前記画像情報の出力に応じて前記記憶手段に記憶されている前記出力結果情報を更新することを特徴とする画像処理方法。
【請求項５】  前記生成ステップで生成する出力制限情報は、複写禁止／許可の情報、複写禁止の場合の複写枚数制限情報に加え、複写可能期限情報、複写時にパスワードを要求する場合のセキュリティ情報、及び著作権情報の少なくとも何れかの情報を含むことを特徴とする請求項４に記載の画像処理方法。
【請求項６】  前記出力制御ステップは、前記第１の所定情報に含まれるパスワード入力要求によりユーザが入力したパスワードと、前記出力制限情報に含まれるパスワードとの比較結果に基づいて、前記出力手段による出力動作を制御することを特徴とする請求項５に記載の画像処理方法。
【請求項７】  第１の所定情報が付加されたオリジナル原稿上の画像を読取手段で読み取ることにより記憶手段内の当該第１の所定情報に対応した画像情報を出力手段により出力する画像処理装置であって、
前記第１の所定情報が付加された前記オリジナル原稿を前記読取手段で読み取らせた際に、現在が当該第１の所定情報に対応した画像情報の前記出力手段による出力を許可する期間内であるか否か判定する判定手段と、
前記判定手段による判定結果に基づき、前記記憶手段に記憶されている前記第１の所定情報に対応する画像情報を前記出力手段により出力することが許可された期間内である場合に、当該画像情報を前記出力手段により出力するよう制御する出力制御手段と
を有することを特徴とする画像処理装置。
【請求項８】  前記記憶手段は、前記第１の所定情報に対応した画像情報と前記出力手段による出力を許可する期間を示す出力制限情報とを対応付けて記憶し、
前記判定手段は、前記記憶手段に記憶されている前記出力制限情報に基づき前記判定を行うことを特徴とする請求項７に記載の画像処理装置。
【請求項９】  第１の所定情報が付加されたオリジナル原稿上の画像を読取手段で読み取ることにより記憶手段内の当該第１の所定情報に対応した画像情報を出力手段により出力する画像処理装置における画像処理方法であって、
前記第１の所定情報が付加された前記オリジナル原稿を前記読取手段で読み取らせた際に、現在が当該第１の所定情報に対応した画像情報の前記出力手段による出力を許可する期間内であるか否か判定する判定ステップと、
前記判定ステップによる判定結果に基づき、前記記憶手段に記憶されている前記第１の所定情報に対応する画像情報を前記出力手段により出力することが許可された期間内である場合に、当該画像情報を前記出力手段により出力するよう制御する出力制御ステップと
を有することを特徴とする画像処理方法。
【請求項１０】  前記記憶手段は、前記第１の所定情報に対応した画像情報と前記出力手段による出力を許可する期間を示す出力制限情報とを対応付けて記憶し、
前記判定ステップは、前記記憶手段に記憶されている前記出力制限情報に基づき前記判定を行うことを特徴とする請求項９に記載の画像処理方法。
【請求項１１】  第１の所定情報が付加されたオリジナル原稿上の画像を読取手段で読み取ることにより記憶手段内の当該第１の所定情報に対応した画像情報を出力手段により出力する画像処理装置における画像処理方法をコンピュータに実行させるためのプログラムであって、
前記記憶手段に記憶されている画像情報に対する出力制限情報を生成する生成ステップと、
前記生成ステップで生成された出力制限情報に基づき前記出力手段による画像情報の出力を制限する出力制御ステップと、
前記第１の所定情報に対応した画像情報、前記生成ステップで生成した出力制限情報、及び前記出力手段による出力結果情報をそれぞれ対応付けて前記記憶手段に記憶する記憶ステップとを有し、
前記出力制御ステップは、前記読取手段によって読み取った前記オリジナル原稿から得た前記第１の所定情報に基づき前記記憶手段に記憶されている前記第１の所定情報に対応した画像情報を特定し、当該画像情報に対応する前記出力制限情報に基づき当該画像情報の出力が許可されている場合に前記出力手段による出力を行い、
前記記憶ステップは、前記出力手段による前記画像情報の出力に応じて前記記憶手段に記憶されている前記出力結果情報を更新することをコンピュータに実行させるためのプログラム。
【請求項１２】  第１の所定情報が付加されたオリジナル原稿上の画像を読取手段で読み取ることにより記憶手段内の当該第１の所定情報に対応した画像情報を出力手段により出力する画像処理装置における画像処理方法をコンピュータに実行させるためのプログラムであって、
前記第１の所定情報が付加された前記オリジナル原稿を前記読取手段で読み取らせた際に、現在が当該第１の所定情報に対応した画像情報の前記出力手段による出力を許可する期間内であるか否か判定する判定ステップと、
前記判定ステップによる判定結果に基づき、前記記憶手段に記憶されている前記第１の所定情報に対応する画像情報を前記出力手段により出力することが許可された期間内である場合に、当該画像情報を前記出力手段により出力するよう制御する出力制御ステップと
をコンピュータに実行させるためのプログラム。
【請求項１３】  請求項１１又は１２に記載のプログラムを記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、例えば、電子写真プロセスを有する複写装置や、その他のプロセスを有する複写装置等に適用可能な、画像処理装置、画像処理方法、それを実施するためのプログラムを記憶したコンピュータ読み取り可能な記憶媒体、及び当該プログラムに関するものである。
【手続補正４】
【補正対象書類名】明細書
【補正対象項目名】０００８
【補正方法】変更
【補正の内容】
【０００８】
そこで、本発明は、上記の欠点を除去するために成されたもので、セキュリティを向上させつつ、必要に応じて所望する原稿コピーを行え、良好な原稿コピー結果を取得できる、画像処理装置、画像処理方法、それを実施するためのプログラムを記憶したコンピュータ読み取り可能な記憶媒体、及び当該プログラムを提供することを目的とする。
【手続補正５】
【補正対象書類名】明細書
【補正対象項目名】０００９
【補正方法】変更
【補正の内容】
【０００９】
【課題を解決するための手段】
斯かる目的下において、本発明の画像処理装置は、第１の所定情報が付加されたオリジナル原稿上の画像を読取手段で読み取ることにより記憶手段内の当該第１の所定情報に対応した画像情報を出力手段により出力する画像処理装置であって、前記記憶手段に記憶されている画像情報に対する出力制限情報を生成する生成手段と、前記生成手段で生成された出力制限情報に基づき前記出力手段による画像情報の出力を制限する出力制御手段とを有し、前記記憶手段は、前記第１の所定情報に対応した画像情報、前記生成手段で生成した出力制限情報、及び前記出力手段による出力結果情報をそれぞれ対応付けて記憶し、前記出力制御手段は、前記読取手段によって読み取った前記オリジナル原稿から得た前記第１の所定情報に基づき前記記憶手段に記憶されている前記第１の所定情報に対応した画像情報を特定し、当該画像情報に対応する前記出力制限情報に基づき当該画像情報の出力が許可されている場合に前記出力手段による出力を行い、前記記憶手段は、前記出力手段による前記画像情報の出力に応じて前記記憶手段に記憶されている前記出力結果情報を更新することを特徴とする。
【手続補正６】
【補正対象書類名】明細書
【補正対象項目名】００１０
【補正方法】変更
【補正の内容】
【００１０】
本発明の画像処理装置における他の態様は、第１の所定情報が付加されたオリジナル原稿上の画像を読取手段で読み取ることにより記憶手段内の当該第１の所定情報に対応した画像情報を出力手段により出力する画像処理装置であって、前記第１の所定情報が付加された前記オリジナル原稿を前記読取手段で読み取らせた際に、現在が当該第１の所定情報に対応した画像情報の前記出力手段による出力を許可する期間内であるか否か判定する判定手段と、前記判定手段による判定結果に基づき、前記記憶手段に記憶されている前記第１の所定情報に対応する画像情報を前記出力手段により出力することが許可された期間内である場合に、当該画像情報を前記出力手段により出力するよう制御する出力制御手段と
を有することを特徴とする。
【手続補正７】
【補正対象書類名】明細書
【補正対象項目名】００１１
【補正方法】変更
【補正の内容】
【００１１】
本発明の画像処理方法は、第１の所定情報が付加されたオリジナル原稿上の画像を読取手段で読み取ることにより記憶手段内の当該第１の所定情報に対応した画像情報を出力手段により出力する画像処理装置における画像処理方法であって、前記記憶手段に記憶されている画像情報に対する出力制限情報を生成する生成ステップと、前記生成ステップで生成された出力制限情報に基づき前記出力手段による画像情報の出力を制限する出力制御ステップと、前記第１の所定情報に対応した画像情報、前記生成ステップで生成した出力制限情報、及び前記出力手段による出力結果情報をそれぞれ対応付けて前記記憶手段に記憶する記憶ステップとを有し、前記出力制御ステップは、前記読取手段によって読み取った前記オリジナル原稿から得た前記第１の所定情報に基づき前記記憶手段に記憶されている前記第１の所定情報に対応した画像情報を特定し、当該画像情報に対応する前記出力制限情報に基づき当該画像情報の出力が許可されている場合に前記出力手段による出力を行い、前記記憶ステップは、前記出力手段による前記画像情報の出力に応じて前記記憶手段に記憶されている前記出力結果情報を更新することを特徴とする。
【手続補正８】
【補正対象書類名】明細書
【補正対象項目名】００１２
【補正方法】変更
【補正の内容】
【００１２】
本発明の画像処理方法における他の態様は、第１の所定情報が付加されたオリジナル原稿上の画像を読取手段で読み取ることにより記憶手段内の当該第１の所定情報に対応した画像情報を出力手段により出力する画像処理装置における画像処理方法であって、前記第１の所定情報が付加された前記オリジナル原稿を前記読取手段で読み取らせた際に、現在が当該第１の所定情報に対応した画像情報の前記出力手段による出力を許可する期間内であるか否か判定する判定ステップと、前記判定ステップによる判定結果に基づき、前記記憶手段に記憶されている前記第１の所定情報に対応する画像情報を前記出力手段により出力することが許可された期間内である場合に、当該画像情報を前記出力手段により出力するよう制御する出力制御ステップとを有することを特徴とする。
【手続補正９】
【補正対象書類名】明細書
【補正対象項目名】００１３
【補正方法】変更
【補正の内容】
【００１３】
本発明のプログラムは、第１の所定情報が付加されたオリジナル原稿上の画像を読取手段で読み取ることにより記憶手段内の当該第１の所定情報に対応した画像情報を出力手段により出力する画像処理装置における画像処理方法をコンピュータに実行させるためのプログラムであって、前記記憶手段に記憶されている画像情報に対する出力制限情報を生成する生成ステップと、前記生成ステップで生成された出力制限情報に基づき前記出力手段による画像情報の出力を制限する出力制御ステップと、前記第１の所定情報に対応した画像情報、前記生成ステップで生成した出力制限情報、及び前記出力手段による出力結果情報をそれぞれ対応付けて前記記憶手段に記憶する記憶ステップとを有し、前記出力制御ステップは、前記読取手段によって読み取った前記オリジナル原稿から得た前記第１の所定情報に基づき前記記憶手段に記憶されている前記第１の所定情報に対応した画像情報を特定し、当該画像情報に対応する前記出力制限情報に基づき当該画像情報の出力が許可されている場合に前記出力手段による出力を行い、前記記憶ステップは、前記出力手段による前記画像情報の出力に応じて前記記憶手段に記憶されている前記出力結果情報を更新することをコンピュータに実行させるためのものである。
本発明のプログラムにおける他の態様は、第１の所定情報が付加されたオリジナル原稿上の画像を読取手段で読み取ることにより記憶手段内の当該第１の所定情報に対応した画像情報を出力手段により出力する画像処理装置における画像処理方法をコンピュータに実行させるためのプログラムであって、前記第１の所定情報が付加された前記オリジナル原稿を前記読取手段で読み取らせた際に、現在が当該第１の所定情報に対応した画像情報の前記出力手段による出力を許可する期間内であるか否か判定する判定ステップと、前記判定ステップによる判定結果に基づき、前記記憶手段に記憶されている前記第１の所定情報に対応する画像情報を前記出力手段により出力することが許可された期間内である場合に、当該画像情報を前記出力手段により出力するよう制御する出力制御ステップとをコンピュータに実行させるためのものである。
【手続補正１０】
【補正対象書類名】明細書
【補正対象項目名】００１４
【補正方法】変更
【補正の内容】
【００１４】
本発明のコンピュータ読み取り可能な記憶媒体は、前期プログラムを記憶したことを特徴とする。
【手続補正１１】
【補正対象書類名】明細書
【補正対象項目名】００９０
【補正方法】変更
【補正の内容】
【００９０】
【発明の効果】
以上説明したように、請求項１、４、１１に記載の発明では、第１の所定情報が付加されたオリジナル原稿を読み取ることにより、当該第１の所定情報に対応した記憶手段内の画像情報を出力させる場合、当該画像情報と対応付けて記憶されている出力制限情報に基づき出力を制御するようにしたので、例えば、特定の枚数のみ出力を許可するなどしてセキュリティの向上を図ることが可能となる。
【手続補正１２】
【補正対象書類名】明細書
【補正対象項目名】００９１
【補正方法】変更
【補正の内容】
【００９１】
また、請求項７、９、１２に記載の発明では、第１の所定情報に対応した画像情報を出力させる際、現在が出力を許可する期間内であるか否か判定し、当該期間内であった場合に出力を行うようにしたので、当該期間外での出力を禁止することができ、セキュリティの向上を図ることが可能となる。